(57)【要約】【課題】給紙する媒体への損傷等の不具合を生じさせることなく、媒体を確実に分離し、余分な媒体を収容部側へ戻すことが可能な給紙機構及びそれを備えた記録装置ならびに給紙機構の制御方法を提供する。【解決手段】紙案内経路４５の下方における用紙Ｐの送り出し方向に直交する軸線を中心として回動可能に支持され、用紙Ｐの送り出し方向後方側へ回動することにより、紙案内経路４５に対して突出する紙戻しレバー５６を有する分離機構部５１を備え、分離機構部５１は、紙戻しレバー５６が、紙案内経路４５から引き込んだ退避位置と、紙案内経路４５側へ僅かに突出して送り出す用紙Ｐに連なって重送される用紙Ｐに係合する小突出位置と、用紙Ｐの送り出し方向後方側へ回動して紙案内経路４５に交差する位置へ突出して紙案内経路４５上の用紙Ｐを用紙カセット３の収容空間Ｓ側へ戻す大突出位置とに移動される。【選択図】図４
2008120592.tif 000002
【特許請求の範囲】
【請求項１】
収容部にて積層されたシート状の媒体を案内経路に沿って送り出す給紙機構であって、
前記案内経路の下方における前記媒体の送り出し方向に直交する軸線を中心として回動可能に支持され、前記媒体の送り出し方向後方側へ回動することにより、前記案内経路に対して突出する戻しレバーを有する分離機構部を備え、
前記分離機構部の前記戻しレバーが、前記案内経路から引き込んだ退避位置と、前記案内経路側へ僅かに突出して送り出す媒体に連なって重送される媒体に係合する小突出位置と、前記媒体の送り出し方向後方側へ回動して前記案内経路に交差する位置へ突出して案内経路上の前記媒体を収容部側へ戻す大突出位置とに移動されることを特徴とする給紙機構。
【請求項２】
請求項１に記載の給紙機構であって、
前記分離機構部は、前記媒体を下流側へ送る給紙ローラと、この給紙ローラとともに前記媒体を挟持し、下流側へ送る媒体に重送される媒体を分離するリタードローラとを有し、
前記案内経路は、これら給紙ローラとリタードローラとの媒体の挟持箇所を境に、上流側及び下流側が次第に下方へ傾斜した山型にされていることを特徴とする給紙機構。
【請求項３】
請求項１または請求項２に記載の給紙機構であって、
小突出位置に配置された前記戻しレバーの突出箇所が、前記案内経路における最上部に配置されることを特徴とする給紙機構。
【請求項４】
請求項１から３のいずれか１項に記載の給紙機構であって、
前記案内経路の下方側のガイド面は、前記戻しレバーの突出箇所付近が、下方側へ下げられていることを特徴とする給紙機構。
【請求項５】
請求項１から４のいずれか１項に記載の給紙機構によって繰り出された媒体に記録処理を施す記録処理部を備えていることを特徴とする記録装置。
【請求項６】
収容部にて積層されたシート状の媒体を案内経路に沿って送り出す給紙機構の制御方法であって、
前記給紙機構は、前記案内経路の下方における前記媒体の送り出し方向に直交する軸線を中心として回動可能に支持され、前記媒体の送り出し方向後方側へ回動することにより、前記案内経路に対して突出する戻しレバーを有する分離機構部を備え、
前記媒体を給紙する際に、前記戻しレバーを、前記案内経路から引き込んだ退避位置から前記案内経路側へ僅かに突出して送り出す媒体に連なって重送される媒体に係合する小突出位置に移動させ、前記媒体の給紙終了後に、前記戻しレバーを、前記媒体の送り出し方向後方側へ回動させて前記案内経路に交差する位置へ突出させて案内経路上の前記媒体を収容部側へ戻す大突出位置に移動させることを特徴とする給紙機構の制御方法。
【発明の詳細な説明】
【技術分野】
【０００１】
本発明は、用紙等のシート状の媒体を送り出す給紙機構及びそれを備えた記録装置ならびに給紙機構の制御方法に関する。
【背景技術】
【０００２】
プリンタ、複写機あるいはファクシミリ等のシート状の媒体である用紙に文字や画像を記録する記録装置では、装填された用紙カセットに収容された用紙を印刷ヘッドなどの記録処理部へ送り出す給紙機構を備えている。
この給紙機構としては、用紙カセットから引き出した用紙を、分離ローラ及びリタードローラからなる対のローラによって一枚ずつに分離して送り出すものがある。
ところが、これら分離ローラ及びリタードローラでは、送り出す用紙に連なって分離ローラ及びリタードローラ付近まで重なって送り込まれた用紙を用紙カセット側へ戻すことができず、その後の給紙時に、用紙が重送されることがあった。
このため、用紙の紙案内経路の下方側に、この紙案内経路に対して用紙の送り出し方向前方側から後方側へ回動する紙戻しレバーを設け、用紙の給紙時に紙戻しレバーを回動させて搬送経路側へ突出させることにより、給紙する用紙に連なって分離ローラ及びリタードローラ付近に送り込まれていた用紙を確実に分離させて用紙カセット側へ押し戻す分離機構部を備える技術が知られている（例えば、特許文献１参照）。
【特許文献１】特開２００４−２９９８９９号公報
【発明の開示】
【発明が解決しようとする課題】
【０００３】
ところで、給紙する用紙に連なって送り込まれる用紙を用紙カセット側へ確実に戻すためには、紙案内経路への紙戻しレバーの突出量を大きくすれば良いが、このようにすると、この紙戻しレバーによって給紙する用紙が損傷するという不具合が生じてしまう。
このため、紙戻しレバーを弾性支持させたり、回動支点を変位させることにより、給紙する用紙への負荷を低減することが考えられているが、このように負荷を低減すると、分離機能及び紙戻し機能が不十分となってしまう。
【０００４】
本発明は、上記事情に鑑みてなされたもので、給紙する媒体への損傷等の不具合を生じさせることなく、媒体を確実に分離し、余分な媒体を収容部側へ戻すことが可能な給紙機構及びそれを備えた記録装置ならびに給紙機構の制御方法を提供することを目的としている。
【課題を解決するための手段】
【０００５】
上記目的を達成するために、本発明の給紙機構は、収容部にて積層されたシート状の媒体を案内経路に沿って送り出す給紙機構であって、前記案内経路の下方における前記媒体の送り出し方向に直交する軸線を中心として回動可能に支持され、前記媒体の送り出し方向後方側へ回動することにより、前記案内経路に対して突出する戻しレバーを有する分離機構部を備え、前記分離機構部の前記戻しレバーが、前記案内経路から引き込んだ退避位置と、前記案内経路側へ僅かに突出して送り出す媒体に連なって重送される媒体に係合する小突出位置と、前記媒体の送り出し方向後方側へ回動して前記案内経路に交差する位置へ突出して案内経路上の前記媒体を収容部側へ戻す大突出位置とに移動されることを特徴とする。
【０００６】
この構成の給紙機構によれば、媒体を給紙する際に戻しレバーを小突出位置へ移動させることにより、給紙する媒体を損傷させることなく、この媒体に重送された媒体を確実に係合させて分離させることができ、下流側への重送を確実に防止することができる。また、媒体の給紙後に戻しレバーを大突出位置へ移動させることにより、給紙した媒体に連れて送り出された媒体を収容部側へ確実に戻すことができる。
【０００７】
また、前記分離機構部は、前記媒体を下流側へ送る給紙ローラと、この給紙ローラとともに前記媒体を挟持し、下流側へ送る媒体に重送される媒体を分離するリタードローラとを有し、前記案内経路は、これら給紙ローラとリタードローラとの媒体の挟持箇所を境に、上流側及び下流側が次第に下方へ傾斜した山型にされていることが好ましい。
【０００８】
この構成によれば、例えば、収容部から複数枚の媒体が勢い良く送り出されたとしても、これら媒体を給紙ローラとリタードローラとの挟持箇所にて確実に止めて下流側への重送を確実に阻止することができる。また、収容部から余分に送り出された媒体を戻しレバーによってさらに良好に収容部へ戻すことができる。
【０００９】
さらに、小突出位置に配置された前記戻しレバーの突出箇所が、前記案内経路における最上部に配置されることが好ましい。
【００１０】
この構成によれば、最上部に配置される戻しレバーの突出箇所によって給紙する媒体に重送された媒体をより確実に係合させて分離させることができるとともに、余分に送り出された媒体を戻しレバーによってさらに良好に収容部へ戻すことができる。
【００１１】
また、前記案内経路の下方側のガイド面は、前記戻しレバーの突出箇所付近が、下方側へ下げられていることが好ましい。
【００１２】
この構成によれば、戻しレバーを媒体へさらに良好に係合させて分離させることができるとともに、余分に送り出された媒体を戻しレバーによってさらに良好に収容部へ戻すことができる。
【００１３】
また、本発明の記録装置は、上記給紙機構によって繰り出された媒体に記録処理を施す記録処理部を備えていることを特徴とする。
【００１４】
この構成の記録装置によれば、媒体を一枚ずつ確実に給紙することが可能な給紙機構を備えているので、高い品質にて良好に媒体へ記録処理を施すことができる。
【００１５】
また、本発明の給紙機構の制御方法は、収容部にて積層されたシート状の媒体を案内経路に沿って送り出す給紙機構の制御方法であって、前記給紙機構は、前記案内経路の下方における前記媒体の送り出し方向に直交する軸線を中心として回動可能に支持され、前記媒体の送り出し方向後方側へ回動することにより、前記案内経路に対して突出する戻しレバーを有する分離機構部を備え、前記媒体を給紙する際に、前記戻しレバーを、前記案内経路から引き込んだ退避位置から前記案内経路側へ僅かに突出して送り出す媒体に連なって重送される媒体に係合する小突出位置に移動させ、前記媒体の給紙終了後に、前記戻しレバーを、前記媒体の送り出し方向後方側へ回動させて前記案内経路に交差する位置へ突出させて案内経路上の前記媒体を収容部側へ戻す大突出位置に移動させることを特徴とする。
【００１６】
この制御方法によれば、媒体を給紙する際に戻しレバーを小突出位置へ移動させるので、給紙する媒体を損傷させることなく、この媒体に重送された媒体を確実に係合させて分離させることができ、下流側への重送を確実に防止することができる。また、媒体の給紙後に戻しレバーを大突出位置へ移動させるので、給紙した媒体に連れて送り出された媒体を収容部側へ確実に戻すことができる。
【発明を実施するための最良の形態】
【００１７】
以下、本発明の一実施形態に係る給紙機構及びそれを備えた記録装置ならびに給紙機構の制御方法について図面を参照しつつ詳細に説明する。
なお、本実施形態では、記録装置として印刷処理を行うインクジェットプリンタ等のプリンタを例示している。本発明の記録装置としては、プリンタ以外にも、例えば複写機あるいはファクシミリ等が挙げられる。また、本実施形態では、印刷を施すシート状の媒体として、用紙を例にとって説明する。
【００１８】
図１は本発明に係るプリンタの実施形態の内部を概略的に示す側断面図である。
本実施形態のプリンタ（記録装置）１は、図１に示すように、フロント給紙・リア排紙タイプのインクジェット式プリンタであり、用紙Ｐを略直線状の経路に沿って移動させて記録処理を行うものである。
このプリンタ１の装置ケース２は、その前面に、シート状の媒体である用紙を収容した用紙カセット３が着脱自在に装填されるカセット装填部４を有している。
また、装置ケース２の後面には、印刷が終了した用紙を受ける排紙トレイ５が設けられている。
【００１９】
装置ケース２のカセット装填部４に装填される用紙カセット３は、上方が開放された凹状のカセット本体１１を有し、このカセット本体１１の内部には、複数の用紙Ｐを積層させた状態に収容可能な収容空間Ｓが形成されている。この収容空間Ｓには、リフト式ホッパ１２が設けられており、このリフト式ホッパ１２によって積層状態に収容された用紙Ｐの最上部が所定の高さ位置とされる。
また、このカセット本体１１には、プリンタ１における給紙方向前方側であるプリンタ１への装填方向前方側に、上方へ向かって次第に給紙方向前方へ傾斜した分離壁１３が形成されている。なお、この分離壁１３には、その表面に、高摩擦材が塗布あるいは貼付されている。
【００２０】
ケース本体２には、カセット装填部４から装填された用紙カセット３の用紙Ｐの上方位置に、揺動可能に支持されたフレーム２２の先端に設けられたピックアップローラ２３が配置されている。そして、このピックアップローラ２３は、用紙カセット３の用紙Ｐの最上のものに当接することにより、用紙Ｐの最上のものを１枚ずつ後方へ繰り出し、後方側に設けられた給紙ローラ２４とリタードローラ２５との間へ送り込む。
【００２１】
給紙ローラ２４及びリタードローラ２５は、送り込まれた用紙Ｐを一枚ずつ挟持しながら後方へ送り出すとともに、用紙カセット３から複数枚の用紙Ｐが繰り出された場合に、最上部の用紙Ｐに対して下方に重なっている用紙Ｐを分離させる分離機能を有するもので、これら給紙ローラ２４及びリタードローラ２５の後方には、用紙Ｐをプリンタ１の後面側へ搬送して排紙トレイ５上に排出させる搬送経路２７を有している。
搬送経路２７の途中には、用紙Ｐの搬送方向と直交する水平方向に延在する複数のガイド軸３１に沿って往復移動可能に設けられて、送り込まれた用紙Ｐに文字や画像を印刷する記録ヘッド（記録処理部）３２が設けられている。
【００２２】
搬送経路２７は、記録ヘッド３２の上流側に設けられて用紙Ｐを挟持して記録ヘッド３２による印刷位置に搬送する搬送ローラ３３，３４と、記録ヘッド３２の下流側に設けられて記録ヘッド３２により印刷された用紙Ｐを挟持して排紙トレイ５に排出する排紙ローラ３５，３６とを有している。
【００２３】
次に、用紙カセット３から用紙Ｐを給紙するピックアップローラ２３、給紙ローラ２４及びリタードローラ２５を備えた給紙機構の構造を詳述する。
図２は給紙機構部分の概略正面図、図３は給紙機構部分の概略側面図である。
【００２４】
図２及び図３に示すように、給紙機構は、装置ケース２内における両側部に配置されたフレーム４１，４２の間に設けられている。このフレーム４１，４２の間には、幅方向にわたって配置された下方ガイド面４３及び上方ガイド面４４を有し、これら下方ガイド面４３及び上方ガイド面４４は、互いに隙間をあけて配置されている。これら下方ガイド面４３及び上方ガイド面４４は、用紙Ｐを案内するもので、これら下方ガイド面４３及び上方ガイド面４４の間が、用紙カセット３の収容空間Ｓから搬送経路２７へ繋がる紙案内経路４５とされている。この紙案内経路４５は、給紙ローラ２４とリタードローラ２５との用紙Ｐの挟持箇所を境に、上流側及び下流側が次第に下方へ傾斜された山型にされている。
【００２５】
この紙案内経路４５を形成する下方ガイド面４３は、給紙ローラ３４の下方部分にて、下方側へ所定寸法下がる段部４３ａを有しており、また、この段部４３ａよりも用紙カセット３側には、用紙カセット３側へ向かって次第に下方へ傾斜する傾斜面４３ｂを有している。
【００２６】
給紙ローラ２４はフレーム４１とこのフレーム４１に対して平行に配置されたフレーム４６とに支持されたシャフト４７に固定されており、このシャフト４７が図示しない駆動モータによって回転されることにより、給紙ローラ２４が、給紙方向である図３中矢印イ方向へ回転する。
また、この給紙ローラ２４の下方側には、分離機構部５１が設けられている。この分離機構部５１は、フレーム４１，４２に架け渡された分離シャフト５２を備えており、この分離シャフト５２は、フレーム４１，４２に対して回動可能に支持されている。
【００２７】
分離シャフト５２は、フレーム４１から外側に突出された一端に、外周側へ突出する係合部５３を有しており、この係合部５３には、図示しない駆動モータによって回動されるカム５４に形成された係合突起５５が係合可能とされている。
この分離シャフト５２には、同一方向へ突出する複数の紙戻しレバー５６が形成されており、これら紙戻しレバー５６は、用紙Ｐの紙案内経路４５に対して出没可能とされている。
【００２８】
これら紙戻しレバー５６を有する分離シャフト５２は、図示しない付勢手段によって時計回りである図３中矢印ロ方向へ付勢されており、これにより、各紙戻しレバー５６は、紙案内経路４５よりも下方に配置されている。
また、これら紙戻しレバー５６は、その先端に、付勢手段による付勢方向と反対側へ突出する爪部５６ａを有している。
【００２９】
分離シャフト５２には、リタードローラブラケット６１が形成されており、このリタードローラブラケット６１に形成された保持空間部６２内には、リタードローラホルダ６３が配設され、このリタードローラホルダ６３に、リタードローラ２５が支持シャフト６４を介して所定トルクが付与された状態にて回動可能に支持されている。
【００３０】
このリタードローラホルダ６３は、支持軸６５を中心として揺動可能に支持されており、図示しない付勢手段によって上方側へ付勢されている。これにより、このリタードローラホルダ６３に支持されたリタードローラ２５が付勢手段の付勢力によって給紙ローラ２４へ付勢されて当接されるようになっている。
また、リタードローラホルダ６３には、側方へ突出する係合突起６６が形成されており、この係合突起６６は、リタードローラブラケット６１の保持空間部６２を形成する内面に設けられた押圧突起６７と係合可能とされている。
【００３１】
次に、給紙機構における分離機構部５１の動作を説明する。
図４（ａ），（ｂ）は分離機構部の動作を説明する概略側面図である。
分離機構部５１は、紙戻しレバー５６が下方ガイド面４３よりも下方に配置された位置が退避位置（図３参照）となっている。
この退避位置から、駆動モータによってカム５４が回動されると、カム５４の係合突起５５が係合部５３に係合された分離シャフト５２が回動し、それに伴い紙戻しレバー５６が回動し、図４（ａ）に示すように、紙戻しレバー５６の先端の爪部５６ａが下方ガイド面４３よりも僅かに上方側へ突出した小突出位置となり、この紙戻しレバー５６の爪部５６ａが、紙案内経路４５における最上部に配置される。
【００３２】
ここで、分離機構部５１は、退避位置では、リタードローラ２５が付勢手段の付勢力によって給紙ローラ２４へ付勢されて当接されているが（図３参照）、この状態からカム５４が回動して紙戻しレバー５６が下方ガイド面４３の上方へ突出する小突出位置へ移動する際に、分離シャフト５２側の押圧突起６７によってリタードローラホルダ６３の係合突起６６が押し下げられ、これにより、リタードローラホルダ６３が付勢力に抗して支持軸６５を中心として下方へ回動され、リタードローラ２５が給紙ローラ２４から離間する。
【００３３】
この小突出位置から、駆動モータによってさらにカム５４が回動されて紙戻しレバー５６が回動されると、図４（ｂ）に示すように、紙戻しレバー５６が大きく回動して下方ガイド面４３の傾斜部４３ｂの付近に達した大突出位置となる。
なお、分離シャフト５２の回動により、リタードローラホルダ６３は、さらに下方へ回動され、リタードローラ２５が給紙ローラ２４からさらに離間する。
【００３４】
次に、プリンタ１によって印刷を施す場合についてフローチャートに沿って説明する。
図５は印刷動作の制御を示すフローチャート、図６は分離機構部の動作を示す概略側面図である。
用紙Ｐを収容した用紙カセット３がカセット装填部４に装填された状態にて印刷指令が送信されると（ステップＳ０１）、プリンタ１では、用紙Ｐへの印刷をすべく、給紙動作が開始される（ステップＳ０２）。
【００３５】
具体的には、ピックアップローラ１３が下方へ移動して回転することにより、積層された用紙Ｐの最上部のものに接触し、最上部の用紙Ｐが繰り出される。この用紙Ｐは、分離壁１３によって下方側の用紙Ｐと分離されて送り出され、給紙ローラ２４とリタードローラ２５との間へ送り出され、図６（ａ）に示すように、用紙Ｐが給紙ローラ２４とリタードローラ２５との間に挟持されて紙案内経路４５に沿って下流側へ送り込まれる。
このとき、最上部の用紙Ｐに連なって下方側の用紙Ｐが給紙ローラ２４とリタードローラ２５との間に送り込まれても、所定のトルクが付与されたリタードローラ２５によって重送された用紙Ｐが分離される。
【００３６】
その後、用紙Ｐが搬送ローラ３３，３４に挟持されて搬送経路２７に沿って搬送され、記録ヘッド３２に対する用紙Ｐの位置決めが行われると、カム５４が回動することにより、リタードローラ２５が給紙ローラ２４から離間するとともに、紙戻しレバー５６が下方ガイド面４３の上方へ僅かに突出する小突出位置に移動する（ステップＳ０３）。
【００３７】
これにより、用紙Ｐは、給紙ローラ２４とリタードローラ２５との挟持が解除され、搬送ローラ３３，３４によって高精度に搬送され、用紙Ｐの幅方向である副走査方向へ移動しながら吐出ノズルからインクを吐出する記録ヘッド３２によって用紙Ｐへの印刷が行われる。そして、この用紙Ｐは、その先端が排紙ローラ３５，３６に挟持されて排紙トレイ５へ向かって搬送され、排紙トレイ５へ排出される。
このとき、図６（ｂ）に示すように、印刷途中の用紙Ｐに対して、静電気等によって付着した用紙Ｐは、下方ガイド面４３の上方へ僅かに突出する紙戻しレバー５６の爪部５６ａに係合することにより、印刷途中の用紙Ｐとの重送が防止される。
【００３８】
用紙Ｐへの印刷後に、次の用紙Ｐへの連続印刷の指令がある場合は（ステップＳ０４）、カム５４が逆転することにより、リタードローラ２５が上昇し、給紙ローラ２４側へ付勢された状態とされるとともに、紙戻しレバー５６が下方ガイド面４３よりも下方に配置された退避位置に一旦移動し、次頁の用紙Ｐの給紙動作（ステップＳ０２）が行われ、さらに、紙戻しレバー５６が下方ガイド面４３の上方へ僅かに突出する小突出位置へ移動して次頁の用紙Ｐへの重送が防止される（ステップＳ０３）。
【００３９】
次の用紙Ｐへの連続印刷の指令がない場合は（ステップＳ０４）、カム５４がさらに回動されて紙戻しレバー５６が回動され、図６（ｃ）に示すように、紙戻しレバー５６が大きく回動して下方ガイド面４３の傾斜部４３ｂの付近に達した紙戻し位置へ移動し、印刷された用紙Ｐに引きずられて送り出された用紙Ｐが用紙カセット３の収容空間Ｓ側へ戻される。
【００４０】
このように、上記実施形態に係る給紙機構及びそれを備えた記録装置であるプリンタならびに給紙機構の制御方法によれば、分離機構部５１の紙戻しレバー５６が、紙案内経路４５から引き込んだ退避位置と、紙案内経路４５側へ僅かに突出して送り出す用紙Ｐに連なって重送される用紙Ｐに係合する小突出位置と、用紙Ｐの送り出し方向後方側へ回動して紙案内経路４５に交差する位置へ突出して紙案内経路４５上の用紙Ｐを用紙カセット３の収容空間Ｓ側へ戻す大突出位置とに移動されるので、用紙Ｐを給紙する際に紙戻しレバー５６を小突出位置へ移動させることにより、給紙する用紙Ｐを損傷させることなく、この用紙Ｐに重送された用紙Ｐを確実に係合させて分離させることができ、下流側への重送を確実に防止することができ、また、用紙Ｐの給紙後に紙戻しレバー５６を大突出位置へ移動させることにより、給紙した用紙Ｐに連れて送り出された用紙Ｐを用紙カセット３の収容空間Ｓ側へ確実に戻すことができる。これにより、高い品質にて良好に用紙Ｐへ記録処理を施すことができる。
【００４１】
また、分離機構部５１が、用紙Ｐを下流側へ送る給紙ローラ２４と、この給紙ローラ２４とともに用紙Ｐを挟持し、下流側へ送る用紙に重送される用紙Ｐを分離するリタードローラ２５とを有し、紙案内経路４５が、これら給紙ローラ２４とリタードローラ２５との用紙Ｐの挟持箇所を境に、上流側及び下流側が次第に下方へ傾斜した山型にされているので、例えば、用紙カセット３を勢い良くカセット装填部４へ装填することにより、収容空間Ｓから複数枚の用紙Ｐが勢い良く送り出されたとしても、これら用紙Ｐを給紙ローラ２４とリタードローラ２５との挟持箇所にて確実に止めて下流側への重送を確実に阻止することができる。また、収容空間Ｓから余分に送り出された用紙Ｐを紙戻しレバー５６によってさらに良好に収容空間Ｓへ戻すことができる。
これにより、紙案内経路４５に用紙Ｐを残留させることなく、用紙カセット３をカセット装填部４から取り出すことができる。
【００４２】
さらに、小突出位置に配置された紙戻しレバー５６の突出箇所が、紙案内経路４５における最上部に配置されるので、最上部に配置される紙戻しレバー５６の突出箇所によって給紙する用紙Ｐに重送された用紙Ｐをより確実に係合させて分離させることができるとともに、余分に送り出された用紙Ｐを紙戻しレバー５６によってさらに良好に用紙カセット３の収容空間Ｓへ戻すことができる。
【００４３】
また、紙案内経路４５を形成する下方ガイド面４３が、紙戻しレバー５６の突出箇所付近にて段部４３ａが形成されて下方側へ下げられているので、紙戻しレバー５６を用紙Ｐへさらに良好に係合させて分離させることができるとともに、余分に送り出された用紙Ｐを紙戻しレバー５６によってさらに良好に収容空間Ｓへ戻すことができる。
【００４４】
なお、上記実施形態では、用紙Ｐを略直線状の経路に沿って移動させて記録処理を行うフロント給紙・リア排紙タイプを例にとって説明したが、例えば、用紙Ｐの経路が例えばＵ字状等に屈曲したプリンタにも適用可能である。
また、上記実施形態では、記録装置として、インクジェットプリンタを例にとって説明したが、本発明は、インクジェットタイプに限定されず、例えば、ドットインパクトプリンタにも適用でき、さらには、プリンタ以外にも、例えば複写機あるいはファクシミリ等にも適用できる。
【００４５】
なお、上記実施形態では、シート状の媒体として、用紙を例にとって説明したが、本発明は、樹脂製のフィルム等からなる媒体も適用可能である。
【図面の簡単な説明】
【００４６】
【図１】本発明に係るプリンタの実施形態の内部を概略的に示す側断面図である。
【図２】給紙機構部分の概略正面図である。
【図３】給紙機構部分の概略側面図である。
【図４】分離機構部の動作を説明する概略側面図である。
【図５】印刷動作の制御を示すフローチャートである。
【図６】分離機構部の動作を示す概略側面図である。
【符号の説明】
【００４７】
１…プリンタ（記録装置）、２４…給紙ローラ、２５…リタードローラ、３２…記録ヘッド（記録処理部）、４３…下方ガイド面（ガイド面）、４５…紙案内経路（案内経路）、５１…分離機構部、５６…紙戻しレバー（戻しレバー）、Ｐ…用紙（媒体）、Ｓ…収容空間（収容部）。
【図１】
2008120592.tif 000003
【図２】
2008120592.tif 000004
【図３】
2008120592.tif 000005
【図４】
2008120592.tif 000006
【図５】
2008120592.tif 000007
【図６】
2008120592.tif 000008